(57)【要約】【課題】本発明は、設置環境の照度に合わせて画面輝度を自動的に最適な値に調整することができる表示装置を提供することを目的とする。【解決手段】照度を検出する照度センサ１０と、照度センサで検出した結果を処理する輝度制御処理部４０と、複数の表示モジュール２０と、輝度制御処理部のデータに基づき画面輝度を調整する輝度コントローラ４１を備え、使用環境の照度に合わせて表示モジュール毎に画面輝度を最適に調整することができる。【選択図】図１
2009025437.tif 000002
【特許請求の範囲】
【請求項１】
複数の表示モジュールと、前記表示モジュールの画面輝度を調整する輝度コントローラーと、前記表示モジュール毎に外光照度を検知する照度センサと、前記照度センサの検知データを処理する輝度制御処理部とを備え、前記輝度コントローラは前記輝度制御処理部からのデータに基づき、表示モジュール毎に画面輝度調整を可能としたことを特徴とする表示装置。
【請求項２】
前記輝度制御処理部は前記照度センサの検知データから、前記表示モジュール毎の明るさを比較し、明るいと検知した前記表示モジュールから暗いと検知した前記表示モジュールにかけて、画面輝度を段階的に調整可能としたことを特徴とする請求項１記載の表示装置。
【請求項３】
複数の表示モジュールと前記表示モジュールで構成された表示画面の４隅に照度センサを配置し、前記照度センサで検知された検知データの中から最も明るいと検知できた場所の近くの表示モジュールから最も暗いと検知できた場所の近くの表示モジュールにかけて、画面輝度を段階的に調整可能としたことを特徴とする表示装置。
【請求項４】
前記表示モジュールはマトリックス上に配置された複数のＬＥＤ（発光ダイオード）を備えた請求項１、２または３記載の表示装置。
【請求項５】
複数の表示モジュールと前記表示モジュール毎に外光照度を検知する照度センサと前記照度センサの検知データから前記表示モジュール毎の画面輝度を制御する画面輝度制御工程を含む表示装置の画面輝度制御方法。
【発明の詳細な説明】
【技術分野】
【０００１】
本発明は、設置環境の照度に合わせて画面輝度を自動的に最適な値に調整することができる表示装置に関するものである。
【背景技術】
【０００２】
従来の表示装置は、複数の光センサの全ての出力値から外光照度平均値データを求め、そのデータから画面全体の輝度を調整している（例えば、特許文献１参照）。図６は前記特許文献１に記載された従来の表示装置を示すものである。
【０００３】
図７は、従来の制御回路の動作を示すフローチャートである。
【０００４】
光センサで表示面の周囲の明るさを検知し、光センサの複数又は一部の平均値を算出し、平均値に基づいてバックライト調光回路により画面全体の輝度を調整していた。
【特許文献１】特開平９−１４６０７３号公報
【発明の開示】
【発明が解決しようとする課題】
【０００５】
しかしながら、前記従来の構成では、特に屋外に設置する表示面積が大きい表示装置において、複数の光センサが搭載されている場合、平均値、または外光照度の最も高い出力値や最も低い出力値に基づいて輝度を調整したとしても、表示面の局所に外光照度が長時間変化しづらい直射日光や日陰があった場合、表示面の場所により外光照度が異なるため、必ずしも適切な画面輝度に調整することができず見にくい表示となってしまうという課題を有していた。
【０００６】
本発明は、前記従来の課題を解決するもので、表示装置の使用環境の外光照度に合わせて画面輝度を最適に調整することができる表示装置を提供することを目的とする。
【課題を解決するための手段】
【０００７】
前記従来の課題を解決するため、本発明の表示装置は、複数の表示モジュールと前記表示モジュール毎に周囲の明るさを検知する照度センサと前記照度センサの検知データを処理する輝度制御処理部と前記表示モジュールの画面輝度を調整する輝度コントローラを備え、前記照度センサの検知データから表示モジュール毎に画面輝度調整を可能としたものである。
【０００８】
本構成によって、表示装置の使用環境の外光照度に合わせて画面輝度を最適に調整することができ、前記表示モジュール毎の明るさを比較し、明るいと検知した前記表示モジュールから暗いと検知した前記表示モジュールにかけて、段階的に前記表示モジュールの画面輝度を調整できる。
【０００９】
また、本発明の表示装置は、表示画面の４隅に照度センサを配置し、前記照度センサで検知された検知データの中から最も明るいと検知できた場所の近くの表示モジュールから最も暗いと検知できた場所の近くの表示モジュールにかけて、画面輝度を段階的に調整できる輝度コントローラを備えたことを特徴とする。
【００１０】
また、本発明の表示装置は、複数の表示モジュールと前記表示モジュール毎に周囲の明るさを検知する照度センサと、前記照度センサの検知データを処理する輝度制御処理部からのデータで前記表示モジュール毎の画面輝度を制御する輝度コントロールとを備え、前記表示モジュール毎の画面輝度を制御する画面輝度制御工程を含む表示装置の画面輝度制御方法を有する。
【発明の効果】
【００１１】
以上のように、本発明の表示装置によれば、使用環境の外光照度に合わせて画面輝度を最適に調整することができ、見やすい表示にすることができる。
【発明を実施するための最良の形態】
【００１２】
以下に、本発明を実施するための最良の形態について、図面を参照しながら説明する。
【００１３】
（実施の形態１）
図１は、本発明の実施の形態１における表示装置のブロック図である。
【００１４】
図１において照度センサ１０1〜１０nは外光照度を検出し、輝度制御処理部４０は前記照度センサ１０1〜１０nの検知データを処理し、輝度コントローラ４１は前記輝度制御処理部４０からのデータに基づき画面輝度を調整し、表示モジュール２０1〜２０nは複数のＬＥＤをマトリックス状に配置されており前記輝度コントローラ４１で調整された画面輝度で表示する構成としている。
【００１５】
また、手動操作部３０は前記表示モジュール２０1〜２０nの画面輝度を手動設定または前記照度センサ１０1〜１０nの外光照度に対する最適な画面輝度で表示を行なうか切り替えることができる。
【００１６】
図２は、外光照度に対して表示モジュール２０1〜２０nの最適な画面輝度を算出する設定例の説明図である。Ｙ座標は表示モジュール２０1〜２０nの外光照度を示し、Ｘ座標は表示モジュール２０1〜２０nの画面輝度を示している。画面輝度Ｘａは外光照度範囲Ｙａに対する画面輝度であり、これらの値は手動操作部３０から設定することができる。
【００１７】
図３は、表示モジュール２０1〜２０nをマトリックス状に並べて形成し、それぞれの表示モジュール２０1〜２０nに照度センサ１０1〜１０nを備え、横方向に配置した表示モジュール数を文字数、縦方向に配置した表示モジュール行数を段数とした表示装置５０である。
【００１８】
かかる構成によれば、照度センサ１０1〜１０nで検知された外光照度により、表示モジュール２０1〜２０nは個別に画面輝度を変化でき、表示面の局所に外光照度が長時間変化しづらい直射日光や日陰があった場合でも、適切な画面輝度に調整することができ見やすい表示ができることとなる。
【００１９】
なお、照度センサ１０1〜１０nを表示モジュール２０1〜２０nの右上部に配置したが、照度センサ１０1〜１０nは表示モジュール２０1〜２０nのどの位置に設けても構わない。
【００２０】
（実施の形態２）
図５は、本発明の実施の形態２の表示装置の実施例である。図５において、図１および図３と同じ構成要素については同じ符号を用い、説明を省略する。
【００２１】
図５において、表示装置５０は表示装置５０の４隅に外光照度を検出する４隅照度センサ６０1〜６０4と表示モジュールで構成している。外光照度の検知データから最も明るい４隅照度センサ６０1〜６０4を算出し、さらに外光照度の検知データから最も暗い４隅照度センサ６０1〜６０4を算出する。
【００２２】
かかる構成によれば、例えば４隅照度センサ６０1が最も明るく、４隅照度センサ６０4が最も暗い場合、表示モジュール２０1〜２０nの左端から右端へ、または表示モジュール２０1〜２０nの上端から下端へ段階的に画面輝度を調整することができ、適切な画面輝度に調整することができ見やすい表示ができることとなる。
【００２３】
また、表示モジュール２０1〜２０nの左端から右端と上端から下端を組み合わせて、左上の表示モジュール２０1から右下の表示モジュール２０nにかけて段階的に画面輝度で調整することもできる。
【００２４】
なお、本実施の形態において、４隅照度センサ６０1〜６０4を表示装置５０の４隅に配置したが、複数の表示モジュール２０1〜２０nで構成された表示画面の４隅の表示モジュール２０1〜２０nの照度センサ１０1〜１０nを使用して表示輝度を制御しても良い。
【００２５】
（実施の形態３）
図４は、本発明の実施の形態３の表示装置の画面輝度制御方法を示すフローチャートである。図４において、図１および図３または図５と同じ構成要素については同じ符号を用い、説明は省略する。
【００２６】
図４において、照度センサ１０1〜１０nの中から最も明るい値を検知している照度センサ１０ａを検索する（ステップ４０１）。次いで、検索した照度センサ１０ａの表示モジュール２０ａが配置されている縦方向の表示モジュールを、画面輝度の制御を決定するための基準とする（ステップ４０２）。次いで、画面輝度の調整のための基準となる表示モジュールの外光照度に対する画面輝度を算出する（ステップ４０３）。次いで、画面輝度を算出した表示モジュールと同じ段の左端および右端の表示モジュールの外光照度に対する画面輝度を算出し、基準となる表示モジュールの画面輝度と左端および右端となる表示モジュールの画面輝度を最大値および最小値とし、その間に配置されている表示モジュールの画面輝度を段階的に算出する（ステップ４０４）。次いで、算出した１段分の表示モジュールの画面輝度を設定する（ステップ４０５）。次いで、画面輝度の調整が全段終了してできたか判定する（ステップ４０６）。これにより表示装置５０の画面輝度は輝度コントローラ４１により変更される。
【００２７】
かかる構成によれば、最も明るい値を検知した照度センサ１０ａを基準として、最適な画面輝度が得られるように表示装置５０の表示モジュール２０1〜２０nの画面輝度を調整することができるため、表示面の局所に外光照度が長時間変化しづらい直射日光や日陰があった場合でも、適切な画面輝度に調整することができ見やすい表示ができることとなる。
【００２８】
なお、図４では外光照度の検知を照度センサ１０1〜１０nとしたが、４隅照度センサ６０1〜６０4で画面輝度制御は行なっても良い。
【００２９】
また、表示モジュールとしては表示モジュール以外にＣＲＴ、液晶、ＰＤＰなどを組み合わせたマルチ画面で構成された表示装置としても良い。
【産業上の利用可能性】
【００３０】
本発明にかかる表示装置は、屋外などの使用環境において局所的に周囲の照度が変化していたとしても、表示モジュール単位での画面輝度の自動調整を行い、画面輝度を段階的に調整できるため、外光照度が局所的に変化するような使用環境の悪い場所に設置でき、適切な画面輝度に調整することができ見やすい表示が可能である。
【図面の簡単な説明】
【００３１】
【図１】本発明の画面輝度制御の実施例を示したブロック図
【図２】外光照度に対する画面輝度設定例の説明図
【図３】本発明の画面輝度制御の実施例を示した表示装置を示す図
【図４】図１に示した画面輝度の制御処理を示したフローチャート
【図５】本発明の４隅に照度センサを配置した実施例を示す図
【図６】従来の制御回路の電気的構成を示すブロック図
【図７】従来の制御回路の動作を示すフローチャート
【符号の説明】
【００３２】
１０n  照度センサ
２０n  表示モジュール
３０  手動操作部
４０  輝度制御処理部
４１  輝度コントローラ
５０  表示装置
６０ｎ  ４隅照度センサ
【図１】
2009025437.tif 000003
【図２】
2009025437.tif 000004
【図３】
2009025437.tif 000005
【図４】
2009025437.tif 000006
【図５】
2009025437.tif 000007
【図６】
2009025437.tif 000008
【図７】
2009025437.tif 000009